(57)【特許請求の範囲】
【請求項１】
対象建物情報、防災用端末情報、法規情報、警戒区域情報のデータベースを記憶装置に格納し、これらの情報を記憶装置から読み出してディスプレイ上で表示することにより防災設備設計の支援を行う防災設備設計ＣＡＤ装置において、ディスプレイの画面上で警戒区域の範囲が指示された時に、記憶装置に格納された既存の警戒区域情報のデータベースを調べて、既存の警戒区域番号の最大値に連続する番号を警戒区域番号の初期値として自動発番する自動発番手段と、ディスプレイ画面上で指示される複数の点を結んで警戒区域として作図する作図手段とを備え、上記自動発番手段は、階段室やエレベータシャフトのような竪穴に上記作図手段で警戒区域を作図する場合に感知器が必要な階の竪穴の当該警戒区域にのみ警戒区域番号を発番し、感知器が必要でない階の竪穴の当該警戒区域には警戒区域番号を発番しないことを特徴とする防災設備設計ＣＡＤ装置。
【発明の詳細な説明】
【０００１】
【発明の属する技術分野】
本発明は、防災設備設計の支援を行う防災設備設計ＣＡＤ装置に関するものである。
【０００２】
【従来の技術】
従来、防災設備設計の支援を行う防災設備設計ＣＡＤ装置としては、特開平８−９６００５号公報に記載されているものがあった。この従来装置では、防災設備では警戒区域を設けるのが通常であることから、予め建物の平面図を作成した後、図６に示すフローチャートの処理を実行していた。つまりディスプレイ２の画面上に建物の平面図を表示させた状態で、平面図上に設定する警戒区域の境界線の始点から終点（始点に相当）までの所定点（屈曲点）がポインティングデバイスによりヒットされると、そのヒットされた各点を結ぶ線で囲まれた警戒区域の範囲の面積と一辺の長さとを計算する。
【０００３】
同時に消防関連法令及び各種通達によって定まった自動火災報知設備基準等の法規情報をハードディスク装置等の外部記憶装置に格納されている法規データベースより取り出し、法規で定まった警戒区域の面積及び一辺の長さと、計算された設定警戒区域の面積及び一辺の長さとを比較し、法規に適合しているかどうかを判断する。
【０００４】
ここで法規に適合と判断されると、設定した警戒区域が一つ目のものであるかどうかを判断し、一つ目であれば警戒区域の番号入力を促すメッセージーをディスプレイに表示させる。設計者はこのメッセージに応じて任意の番号を入力する。この番号は以後自動昇順により発番する場合の基準となる。さて設定した警戒区域が一つ目でない場合には設計者が入力した最初の警戒区域の番号（初期値番号）を基に入力順で自動的に昇順発番される。さらに、法規に適合と判断されると、ディスプレイの画面に平面図とは別にウィンドウを表示してそのウィンドウ内に警戒区域情報、つまり自動発番された警戒区域番号と、その面積とを表示させる。
【０００５】
そしてこの表示を見た設計者が許可すれば、ヒットされた各点を結んで警戒区域線を自動作図して表示し、上述した入力或いは自動発番された番号を設定された警戒区域内の所定位置に表示する。
もし法規に適合していないと判断された場合には、その旨のエラーメッセージ及び不適合とされる面積データ或いは辺の長さデータをウィンドウにて表示する。この表示を見た設計者が設定した警戒区域をキャンセンルすると、改めて警戒区域を指定する状態に戻り、また設計者が許可すれば警戒区域の境界線（以降、「警戒区域線」と呼ぶ。）を上述のように自動作図して表示する。
【０００６】
このように上記従来装置では、設計者に設計スキルが無い場合でも自動的に法規チェックを行うことで法規的に満足された警戒区域の作図ができるとともに、法規チェックに要する作業時間が大幅に削減されて効率的な作図ができ、しかも法規的に満足されない場合にはエラーメッセージによって設計者に報知することができるという利点があった。
【０００７】
【発明が解決しようとする課題】
ところが上記従来装置は、ある程度の法規チェックの機能を具備しているものの、未熟な設計スキルしか有していない設計者にとっては機能的に不十分であって、警戒区域に対して警戒区域番号を発番するに当たり、設計者が警戒区域番号の初期値を入力していたため、複数の警戒区域に同じ警戒区域番号が重複して発番されたり、あるいは連続番号で発番すべき警戒区域番号に抜けが生じるなどのおそれがあり、さらに警戒区域に所属している防災端末及び回線の集計を人手で集計する他なかった。
【０００８】
本発明は上記問題点に鑑みて為されたもので、その目的とするところは、警戒区域番号の抜けやだぶりの発生を防止してチェック作業の効率化と図面品質の向上が図れるとともに設計知識のない又は乏しい設計者でも適切な警戒区域番号の設定を行うことができる防災設備設計ＣＡＤ装置を提供しようとするものである。
【０００９】
【課題を解決するための手段】
上記目的を達成するために請求項１の発明は、対象建物情報、防災用端末情報、法規情報、警戒区域情報のデータベースを記憶装置に格納し、これらの情報を記憶装置から読み出してディスプレイ上で表示することにより防災設備設計の支援を行う防災設備設計ＣＡＤ装置において、ディスプレイの画面上で警戒区域の範囲が指示された時に、記憶装置に格納された既存の警戒区域情報のデータベースを調べて、既存の警戒区域番号の最大値に連続する番号を警戒区域番号の初期値として自動発番する自動発番手段と、ディスプレイ画面上で指示される複数の点を結んで警戒区域として作図する作図手段とを備え、上記自動発番手段は、階段室やエレベータシャフトのような竪穴に上記作図手段で警戒区域を作図する場合に感知器が必要な階の竪穴の当該警戒区域にのみ警戒区域番号を発番し、感知器が必要でない階の竪穴の当該警戒区域には警戒区域番号を発番しないことを特徴とし、既存の警戒区域番号に重複せず且つ抜けがないように警戒区域番号が自動発番されて警戒区域番号の抜けやだぶりの発生が防止でき、そのためチェック作業の効率化と図面品質の向上が図れるとともに、警戒区域番号の必要な竪穴を含む警戒区域に対して警戒区域番号を自動的に発番することができ、設計知識のない又は乏しい設計者でも適切な警戒区域番号の設定を行うことができる。
【００１０】
【発明の実施の形態】
以下、本発明の実施形態を図面を参照して説明する。
図１は本実施形態のシステム構成図を示しており、装置システムの中枢を構成する自動設計処理装置１と、ＣＲＴ等のディスプレイ２と、データを入力するキーボードや、ポインティングデバイス等からなる入力操作部３と、フロッピーディスクドライブ装置や法規情報、端末情報、配線情報、警戒区域情報等の防災設備設計に必要な各種情報のデータベースや作成された図面等を格納するハードディスク装置等の外部記憶装置４と、後述する防災設備設計の対象となる建物の階数や竪穴の設定、竪穴感知器の設定、受信機の種類の設定などの建物に関する情報の入力並びに変更を行う建物情報入力装置５とを備え、自動設計処理装置１には、自動設計機能部１０、法規チェック機能部１１、警戒区域作成部１２、警戒区域番号自動発番処理部１３、エラー報知部１４、警戒領域所属判定部１５を備えている。
【００１１】
本実施形態では、予め初期設定時に図面尺度等のデータを入力操作部３を通じて自動設計処理装置１に入力しておくと、自動設計機能部１０はこのデータを内部メモリに登録し、当該尺度に応じて作図を行う。
ところで、警戒区域を設定する場合は予め自動設計機能部１０の機能を使って建物の平面図を作成した後、図２に示すフローチャートの処理を実行する。つまり自動設計機能部１０はディスプレイ２の画面上に建物の平面図を表示させた状態で、平面図上に設定する警戒区域の境界線の始点から終点（始点に相当）までの所定点（屈曲点）が入力操作部３のポインティングデバイスによりヒットされると、そのヒットされた各点を結ぶ線で囲まれた警戒区域の範囲の面積と一辺の長さとを計算する。
【００１２】
同時に法規チェック機能部１１が動作して消防関連法令及び各種通達によって定まった自動火災報知設備基準等の法規情報を外部記憶装置４（図２では「記憶装置」と表記）に格納されている法規データベースより取り出し、法規で定まった警戒区域の面積及び一辺の長さと、自動設計機能部１０で計算された設定警戒区域の面積及び一辺の長さとを比較し、法規に適合しているかどうかを判断する。但し、ここまでの処理は従来装置と共通である。
【００１３】
ここで、法規に適合と判断されると、自動設計機能部１０の働きにより設定した警戒区域が一つ目のものであるかどうかを判断し、一つ目であれば警戒区域番号自動発番処理部１３が外部記憶装置４に格納されている警戒区域情報のデータベースから警戒区域番号の情報を読み出し、既存の警戒区域番号情報を調べて、既存の警戒区域番号の最大値に連続する番号を警戒区域番号の初期値として自動発番する。この初期値番号は以後自動昇順により発番する場合の基準となる。
【００１４】
例えば、設定した警戒区域の前に既に１番から１０番までの警戒区域番号が発番されていたとすると、自動設計処理装置１の警戒区域番号自動発番処理部１３が読み出した警戒区域番号の情報を調べて、既存の警戒区域番号の最大値（いまの場合であれば１０番）に連続する番号である１１番を警戒区域番号の初期値番号として自動発番する。すなわち、従来装置においては設計者が初期値番号を入力するようになっていたため、警戒区域番号が連続せずに抜けが生じたり、あるいは既に存在する警戒区域番号が入力されてだぶり（重複）が生じるというような不具合が発生するおそれがあったが、本実施形態では自動発番手段である警戒区域番号自動発番処理部１３によって初期値番号が自動的に発番されるから、上記のような警戒区域番号の抜けやだぶりを未然に防止することができるのである。その結果、作図後に警戒区域番号の抜けやだぶりをチェックする作業が不要となり、全体のチェック作業の効率化と図面品質の向上が図れるという利点がある。
【００１５】
さて、設定した警戒区域が一つ目でない場合には上記自動発番された初期値番号を基に入力順で自動的に昇順発番される。さらに、法規に適合と判断されると、ディスプレイ２の画面に平面図とは別にウィンドウを表示してそのウィンドウ内に警戒区域情報、つまり自動発番された警戒区域番号と、その面積とを表示させる。
【００１６】
そしてこの表示を見た設計者が例えば入力操作部３のリターンキーを押すと自動設計機能部１０はヒットされた各点を結んで警戒区域線を自動作図して表示し、自動発番された番号を設定された警戒区域内の所定位置に表示する。この発番後番号変更及び表示位置の変更は入力操作部３の操作により可能である。
一方、もし法規に適合していないと判断された場合には、その旨のエラーメッセージ及び不適合とされる面積データ或いは辺の長さデータをウィンドウにて表示する。この表示を見た設計者が設定した警戒区域をキャンセンルすると、改めて警戒区域を指定する状態に戻り、また設計者が許可すれば警戒区域線を上述のように自動作図して表示する。
【００１７】
上述のように本実施形態では、設定警戒区域が１つ目の場合に外部記憶装置４に格納されている警戒区域情報のデータベースから警戒区域番号の情報を読み出し、既存の警戒区域番号情報を調べて、既存の警戒区域番号の最大値に連続する番号を警戒区域番号の初期値として自動発番するから、従来装置のように設計者が警戒区域番号を入力する場合に比較して、警戒区域番号の抜けやだぶりを未然に防止することができ、そのために作図後に警戒区域番号の抜けやだぶりをチェックする作業が不要となり、全体のチェック作業の効率化と図面品質の向上が図れることになる。
【００１８】
なお、本実施形態においては既存の警戒区域番号情報を外部記憶装置４のデータベースに保存するようにしているが、例えばディスプレイ２の画面に表示される警戒区域番号を表す番号図形に属性情報として持たせるようにしてもよい。
【００１９】
ところで本実施形態では、階段室やエレベータシャフトのような竪穴に警戒区域を作図する場合に感知器が必要な階の竪穴の当該警戒区域にのみ警戒区域番号を発番し、感知器が必要でない階の竪穴の当該警戒区域には警戒区域番号を発番しないようにしている。
【００２０】
例えば図３に示すような建物の場合であれば、竪穴Ｐの特定の階（例えば、３階と５階）にのみ感知器Ｓ1 ，Ｓ2 を配置する必要があり、他の階には感知器が不要である。そして、感知器Ｓ1 ，Ｓ2 が配置される竪穴の領域には、図４（ａ）に示すように独立した警戒区域として警戒区域番号が発番され、感知器が配置されない領域には同図（ｂ）に示すように警戒区域番号が発番されない。このような事例では、従来設計者が感知器を配置すべき階を法規等に基づいて決定して警戒区域番号の発番を行っていたため、設計知識のない又は乏しい設計者では適切な警戒区域の設定ができないことがあった。本実施形態は、このような不具合を解消するためのものである。
【００２１】
図５は本実施形態において竪穴の領域に警戒区域を設定する場合に実行する処理を示したフローチャートである。まず竪穴に対して感知器を配置すべき階数の情報などの竪穴情報を外部記憶装置４のデータベースに登録しておき、警戒区域設定の処理を実行する際に、最初に自動設計機能部１０により上記データベースから竪穴情報を取得する。それから自動設計機能部１０は、ディスプレイ２の画面上に建物の所定の階の平面図を表示させた状態でその階の平面図上における竪穴の部分に設定する警戒区域線の始点から終点までの所定点が入力操作部３のポインティングデバイスによりヒットされると、上記竪穴情報に基づいて処理中の階が感知器を必要とする階か否かを判定する。
【００２２】
ここで感知器が必要な階であれば、警戒区域番号自動発番処理部１３によって竪穴内に設定された警戒区域に対して警戒区域番号が自動発番されて、警戒区域作成部１２により警戒区域線が自動作図される。
一方、感知器が必要でない階であれば、警戒区域番号を発番することなく、上記のようにして警戒区域線が自動作図される。なお、竪穴情報はデータベースに登録する代わりにディスプレイ２の画面上に表示される図面要素に対して属性情報として登録するようにしてもよい。
【００２３】
上述のように本実施形態では、階段室やエレベータシャフトのような竪穴に警戒区域を作図する場合に感知器が必要な階の竪穴の当該警戒区域にのみ警戒区域番号を発番し、感知器が必要でない階の竪穴の当該警戒区域には警戒区域番号を発番しないようにしたので、警戒区域番号の必要な竪穴を含む警戒区域に対して警戒区域番号を自動的に発番することができ、設計知識のない又は乏しい設計者でも適切な警戒区域番号の設定を行うことができることになる。
【００２４】
【発明の効果】
上述のように請求項１の発明は、対象建物情報、防災用端末情報、法規情報、警戒区域情報のデータベースを記憶装置に格納し、これらの情報を記憶装置から読み出してディスプレイ上で表示することにより防災設備設計の支援を行う防災設備設計ＣＡＤ装置において、ディスプレイの画面上で警戒区域の範囲が指示された時に、記憶装置に格納された既存の警戒区域情報のデータベースを調べて、既存の警戒区域番号の最大値に連続する番号を警戒区域番号の初期値として自動発番する自動発番手段と、ディスプレイ画面上で指示される複数の点を結んで警戒区域として作図する作図手段とを備え、上記自動発番手段は、階段室やエレベータシャフトのような竪穴に上記作図手段で警戒区域を作図する場合に感知器が必要な階の竪穴の当該警戒区域にのみ警戒区域番号を発番し、感知器が必要でない階の竪穴の当該警戒区域には警戒区域番号を発番しないので、既存の警戒区域番号に重複せず且つ抜けがないように警戒区域番号が自動発番されて警戒区域番号の抜けやだぶりの発生が防止でき、そのためチェック作業の効率化と図面品質の向上が図れるとともに、警戒区域番号の必要な竪穴を含む警戒区域に対して警戒区域番号を自動的に発番することができ、設計知識のない又は乏しい設計者でも適切な警戒区域番号の設定を行うことができるという効果がある。
【図面の簡単な説明】
【図１】実施形態のシステム構成図である。
【図２】同上の警戒区域設定時のフローチャートである。
【図３】同上の警戒区域設定時の説明図である。
【図４】同上の警戒区域設定時の説明図である。
【図５】同上の警戒区域設定時のフローチャートである。
【図６】従来例の警戒区域設定時のフローチャートである。
【符号の説明】
１  自動設計処理装置
２  ディスプレイ
３  入力操作部
４  外部記憶装置
５  建物情報入力装置
１０  自動設計機能部
１１  法規チェック機能部
１２  警戒区域作成部
１３  警戒区域番号自動発番処理部
１４  エラー報知部
１５  警戒領域所属判定部
【図１】
0003601251.tif 000002
【図２】
0003601251.tif 000003
【図３】
0003601251.tif 000004
【図４】
0003601251.tif 000005
【図５】
0003601251.tif 000006
【図６】
0003601251.tif 000007